(57)【要約】【課題】カメラのホールド性を向上させる補助グリップを備えたデジタルカメラに、発電機能を組み込み、バッテリー消耗時に発電させ、撮影枚数を気にすることなく撮影することを可能とする。【解決手段】旋回可能に形成された補助グリップ１０１を有するカメラ１００において、補助グリップ１０１内にダイナモ発電機４０を内蔵すると共に、発電機４０を回転させる歯車３０を前記補助グリップ１０１の旋回中心１０９に設け、補助グリップ１０１の先端近傍に、補助グリップ１０１を旋回中心を中心として回転させる把手１０を設けた。【選択図】　　　　図２
2004117818.tif 000002
【特許請求の範囲】
【請求項１】
旋回可能に形成された補助グリップを有するカメラにおいて、該補助グリップ内にダイナモ発電機を内蔵させ、該発電機を回転させる歯車を前記補助グリップの旋回中心に設け、該補助グリップの先端近傍に、該補助グリップを旋回中心を中心として回転させる把手を設けたことを特徴とする発電機内蔵グリップ。
【請求項２】
前記把手は、転倒収納・起立突出の２位置に起倒自在に補助グリップに取り付けられ、転倒収納位置では前記歯車を補助グリップと一体化し、起立突出位置では前記歯車を補助グリップから切離す機構を備えたことをことを特徴とする請求項１記載の発電機内蔵グリップ。
【請求項３】
前記機構は、前記把手と同軸の回動カムと、補助グリップに内蔵されカムの回動に応じて揺動するトグルと、前記歯車に設けられ該トグルの先端突起と係脱する係脱孔とからなり、把手が転倒収納位置ではトグルと歯車が係着し、把手が起立突出位置ではトグルと歯車が脱着する機構であることを特徴とする請求項２記載の発電機内蔵グリップ。
【発明の詳細な説明】
【０００１】
【発明の属する技術分野】
本発明は、旋回可能に形成された補助グリップを有するデジタルカメラ等のグリップに発電機を内蔵させた発電機内蔵グリップに関する。
【０００２】
【従来の技術】
デジタルカメラ等では、電池容量に対して電力消費が大きく、バッテリーの消耗が激しい。従って、電池の充電状況を常にチェックする必要があると共に、多数枚の撮影ショットを行う場合には、撮影枚数を気にしながら撮影する必要がある。
【０００３】
このような問題を解決するために、手動発電機を内蔵し被写体像を照明するストロボ手段は発電機の出力をエネルギー源として利用するようにしたカメラが知られている。発電機は、電池に比べて電流も大きく、瞬時に高電圧を発生することができる。その技術では、カメラ本体の底面部に、発電機を回転させるレバーが折り畳み収納自在に設けられている（例えば、特許文献１参照。）。
【０００４】
この技術は太陽電池及びダイナモを内蔵する技術であって、１次電池を不要とし、電池交換を不要とするものであるが、カメラでは太陽電池の採光面積が著しく制約されるため、太陽電池の容量を大きくすることができないという問題があり、ダイナモの手動ハンドルをカメラの底面に形成された凹部に折り畳み収納自在に設けている。そして、この凹部を三脚取付部と兼用するとしているが、ダイナモ駆動以外の用途を全く持たない単独のハンドル機構を取り付けることを必須としている。
【０００５】
【特許文献１】
特開２００２−９０８４５号公報（第２−３頁、図２（ｂ））
【０００６】
【発明が解決しようとする課題】
本発明はカメラのホールド性を向上させる補助グリップを備えたデジタルカメラに、発電機能を組み込み、バッテリー消耗時に発電させることにより、撮影枚数を気にすることなく撮影することを可能とする技術を提供することを目的とするものである。
【０００７】
【課題を解決するための手段】
本発明は、上記問題点を解決するためになされたもので、次の技術手段を講じたことを特徴とする発電機内蔵グリップである。すなわち、本発明は、旋回可能に形成された補助グリップを有するカメラにおいて、補助グリップ内にダイナモ発電機を内蔵させ、発電機を回転させる歯車を前記補助グリップの旋回中心に設け、補助グリップの先端近傍に、補助グリップを旋回中心を中心として回転させる把手を設けたことを特徴とする発電機内蔵グリップである。
【０００８】
前記把手は、転倒収納・起立突出の２位置に起倒自在に補助グリップに取り付けられ、転倒収納位置では前記歯車を補助グリップと一体化し、起立突出位置では前記歯車を補助グリップから切離す機構を備えると、この把手を起倒させることによって補助グリップを補助グリップとして使用するか発電装置として使用するか、簡単に切り替えることができ、把手を簡単に設けることができ、誤動作することがないので好適である。
【０００９】
また、前記歯車と補助グリップとを一体化したり切り離したりする機構としては、前記把手と同軸の回動カムと、補助グリップに内蔵されカムの回動に応じて揺動するトグルと、前記歯車に設けられ該トグルの先端突起と係脱する係脱孔とからなり、把手が転倒収納位置ではトグルと歯車が係着し、把手が突出位置ではトグルと歯車が脱着する機構とすれば簡単確実であり、他の複雑な機構や制御装置を必要とせず、好ましい。
【００１０】
【発明の実施の形態】
以下図面を参照して本発明の実施の形態を説明する。
【００１１】
図７〜９は、本発明が適用されるカメラ１００を示す斜視図である。カメラ１００は、図７、８に示すように、角度約１７０度旋回可能に形成された補助グリップ１０１が装着されている。なお、正面側にレンズ１０２、ストロボランプ１０３、背面にＬＣＤ１０４、レリーズボタン１０５、切替ボタン１０７が設けられ、側面にモード設定器１０６が取付けられている。この補助グリップ１０１は、図７のようにカメラの側面に沿い付けた状態でも使用することができ、また図８に示すように、下方に旋回突出させて、この補助グリップを図９に示すように、右手１０８で保持して、モード切替、シャッター操作などを自由に行い、撮影をすることができるようになっている。この補助グリップ１０１は、カメラ１００の操作性を著しく改善するものである。
【００１２】
図１は、本発明の補助グリップ１０１を示すカメラ１００の全体外形図で、補助グリップ１０１の一端に、補助グリップの旋回中心を中心として補助グリップ１０１を回転させる把手１０を設けたことを示している。把手１０は矢印１１で示すように起倒し、図１に示すように補助グリップ１０１に対して直角に起立突出しているときは補助グリップ１０１を回転させるハンドルとなり発電モードとなる。把手１０が補助グリップ１０１内に転倒収納された状態では、補助グリップ１０１はグリップとしてのみ用いられる。
【００１３】
図２、３は本発明の実施例の発電機内蔵補助グリップ１０１の内部構造を示す説明図で、図２は側面図、図３は正面図である。補助グリップ１０１内には、発電機４０、歯車３０、トグル２０が内蔵されている。
【００１４】
発電機４０は、ピニオン３１、３２等を介して歯車３０からの回転駆動力を付与されて回転し、発生した電力を導線４１、スリップリング４２を介してカメラ本体内に供給する。必要に応じて電圧制御装置、ＡＤ変換装置、昇圧装置等を備える。歯車３０は、補助グリップ１０１の旋回中心軸１０９と同軸に装着され、トグル２０の先端係止部２２が係止する孔３３を備えている。
【００１５】
トグル２０は、図４に示すように、ほぼ中央をピン２１によって補助グリップ１０１に取り付けられ、このピン２１を中心として揺動する。トグル２０はばねによって矢印２５方向に付勢されており、トグル２０の上端に設けた係止部２２が歯車３０の係止孔３３に係止して、歯車３０が補助グリップ１０１と一体に保たれている。図４では、トグル２０を矢印２５方向に付勢する付勢材としてゼンマイばね２３、圧縮ばね（コイルばね）２４を例示しているが、その何れか一方又は両方でもよく又は他の形式のどのようなばねでもよい。カム１５は、図４、図５に示すように、トグル２０の下端部に接触し、ばねの付勢力に対抗してトグルを矢印２６で示すように揺動させる。このカム１５は、把手１０の回動軸と同軸に取り付けられており、把手１０の収納・突出動作に伴ってカム１５が回動し、トグル２０を矢印２５又は２６方向に揺動させる。トグル２０の上端に設けられた係止部２２は、カム１５によってトグル２０が揺動したとき歯車３０の係止孔３３と係合又は係合離脱する。トグル２０の係止部２２が歯車３０の係止孔３３に係止しているときは、歯車３０は補助グリップが回動しても、補助グリップと一体になっており、ピニオン３１、３２は回転しないから、発電機４０は回らない。
【００１６】
把手１０を収納位置から起こして立設姿勢に起立させると、トグル２０の係止部２２が歯車３０から離脱するので、補助グリップ１０１と歯車３０とは分離し、把手１０を持って補助グリップ１０１を旋回中心軸１０９まわり回転させると、ピニオン３１、３２は歯車３０によって回転を付与され、ピニオン３１、３２は発電機４０を回転させ、発電機４０は発電する。
【００１７】
本発明では、発電をしない通常使用時には、補助グリップ１０１はグリップとして使用する。発電が必要なときは、把手１０を起こしてこれをつまみ、補助グリップ１０１を発電用の回転ハンドルとして使用する。本発明によれば、補助グリップ１０１を利用して、コンパクトな発電ハンドル付きカメラを実現することができた。
【００１８】
図６は、本発明の発電機を内蔵したグリップ１０１をカメラ本体１００にアダプタ１２０を介して取付けることができ、使用しないときには
アダプタ１２０を取外すことができる態様を示したものである。アダプタ１２０はカメラ本体１００の底面等に組みつけることができ、本体通電用端子１２１を備え、電気的にカメラ本体と結合される。
【００１９】
【発明の効果】
本発明によれば、カメラのホールド性を向上させる補助グリップに発電機能を組み込み、バッテリー消耗時に発電することにより、充填することができ、撮影枚数を気にすることなく撮影することが可能となった。また、ストロボ等高電圧、大電力を必要とする操作を心置きなく実施することができる。
【図面の簡単な説明】
【図１】実施例の斜視図である。
【図２】補助グリップの内部機構を示す正面図である。
【図３】補助グリップの内部機構を示す側面図である。
【図４】トグルの作動説明図である。
【図５】トグルの作動説明図である。
【図６】別の実施例の説明図である。
【図７】本発明が適用されるカメラの斜視図である。
【図８】本発明が適用されるカメラの斜視図である。
【図９】本発明が適用されるカメラの斜視図である。
【符号の説明】
１０　　把手
１１　　矢印
１２　　回転軸
１５　　カム
２０　　トグル
２１　　ピン
２２　　突起
２３　　ぜんまいばね
２４　　コイルばね
２５　　矢印
３０　　歯車
３１，３２　　ピニオン
３３　　係止孔
４０　　発電機
４１　　導線
４２　　スリップリング
１００　　カメラ
１０１　　補助グリップ
１０２　　レンズ
１０３　　ストロボランプ
１０４　　ＬＣＤ
１０５　　レリーズボタン
１０６　　モード設定器
１０７　　切替ボタン
１０８　　右手
１０９　　旋回中心軸
１２０　　アダプタ
１２１　　通電用端子
【図１】
2004117818.tif 000003
【図２】
2004117818.tif 000004
【図３】
2004117818.tif 000005
【図４】
2004117818.tif 000006
【図５】
2004117818.tif 000007
【図６】
2004117818.tif 000008
【図７】
2004117818.tif 000009
【図８】
2004117818.tif 000010
【図９】
2004117818.tif 000011